(57)【特許請求の範囲】
【請求項１】
電気機器を収納するラック本体の前面を覆う扉パネルを備え、扉パネルに縦長の窓穴を形成し、窓穴を意匠パネルで塞ぎ、意匠パネルよりも下側の扉パネルに、外気をラック本体の内部に吸入する吸気口と、吸気口を扉パネルの前面側から覆う下部通気カバーとを設け、意匠パネルよりも上側の扉パネルに、ラック本体内部の空気を外部に排出する排気口と、排気口を扉パネルの前面側から覆う上部通気カバーと、換気ファンとを設け、前記排気口の周辺において、扉パネルに換気ファンを上部通気カバーと一緒に取り付けるための手段を備えたことを特徴とするキャビネットラックの扉。
【発明の詳細な説明】
【技術分野】
【０００１】
本発明は、電気機器を収納するキャビネットラックの扉、特に、該扉の換気構造に関する。
【背景技術】
【０００２】
一般に、サーバー等の電気機器を収納するキャビネットラックは、電気機器の発熱がラック本体の内部にこもらないようにするための換気構造を備えている。従来の換気構造は、通常、外部の冷気を扉からラック本体の内部に吸入し、内部の熱気をラック本体の側面、背面又は上面から外部に排出するように構成されている。
【０００３】
例えば、図８（ａ）に示すキャビネットラック５１では、扉５２の大部分の領域に吸気用の多孔板（パンチングメタルパネル）５３が設けられ、ラック本体５４の側面および上面に排気用の多孔板５５が設けられている。また、図８（ｂ）に示すように、扉５２に吸気用のスリット５６を多数加工した換気構造も知られている。
【０００４】
特許文献１には、ラック本体の側面に多数のスリットを加工し、ラック本体の内面にスリットを覆う換気ファンを設けた換気構造が記載されている。
【特許文献１】特開２０００−２２３８７４号公報
【発明の開示】
【発明が解決しようとする課題】
【０００５】
ところが、従来の換気構造によると、次のような問題点があった。
（１）吸気部が扉５２に、排気部がラック本体５４にそれぞれ別々に設けられているので、換気構造を装備するためにラック５１全体の加工数が増え、製作コストが高くつく。
（２）排気部をラック本体５４に設けているので、ラック本体５４の周囲にスペースを確保する必要があり、部屋の片隅や天井の低い場所などにラック５１を設置できず、また、複数のラック５１を並べた場合に換気効率が低下する。
（３）扉５２に多孔板５３やスリット５６を設けた換気構造は、塵埃がラック本体５２の内部に侵入しやすいうえ、外部から内部機器が見えたり、細長物品が差し込まれたりするなど、セキュリティ上の不安がある。
【０００６】
本発明の目的は、換気構造を扉パネルに集約することで、上記問題点を解決できるキャビネットラックの扉を提供することにある。
【課題を解決するための手段】
【０００７】
上記の課題を解決するために、本発明の扉は、電気機器を収納するラック本体の前面開口部を覆う扉パネルを備え、扉パネルの下端部に、外気をラック本体の内部に吸入する吸気口と、吸気口を扉パネルの前面側から覆う下部通気カバーとを設け、扉パネルの上端部に、ラック本体内部の空気を外部に排出する排気口と、排気口を扉パネルの前面側から覆う上部通気カバーとを設けたことを特徴とする。
【０００８】
上記キャビネットラックの扉において、好ましくは、以下の手段を採用できる。
（イ）排気口の周辺において、扉パネルに換気ファンを取り付ける手段を備えること。
（ロ）換気ファンを上部通気カバーと一緒に扉パネルに取り付ける手段を備えること。
（ハ）複数の換気ファンをファン基板上に組み付けてユニット化し、該ファンユニットを上部通気カバーと一緒に扉パネルに取り付ける手段を備えること。
【０００９】
（ニ）換気ファンを取り外した状態で、排気口を塞ぐリッドを扉パネルの上端部に取り付けること。
（ホ）扉パネルに縦長の窓穴を形成し、窓穴を意匠パネルで塞ぎ、意匠パネルの上下に上部通気カバーと下部通気カバーとを取り付けること。
（ヘ）上部通気カバーと下部通気カバーとを上下対称形状に形成すること。
【発明の効果】
【００１０】
本発明の扉によれば、扉パネルの上下両端部に吸気口と排気口とが設けられているので、キャビネットラックの換気構造を扉に集約して、ラック全体の加工数を削減できるとともに、ラックの設置場所に関する自由度を高めることができる。また、扉パネル下端部の吸気口から床面近くの冷気を吸入し、ラック本体内部の熱気を扉パネル上端部の排気口から排出でき、自然換気又はファンによる強制換気のどちらの場合も、効率のよい換気を行うことができる。しかも、吸気口と排気口がそれぞれ通気カバーによって扉パネルの前面側から覆われているので、塵埃がラック本体内部に侵入しにくくなるうえ、内部機器を視覚的、物理的に保護してセキュリティを確保できる効果もある。
【発明を実施するための最良の形態】
【００１１】
以下、本発明の一実施形態を図面に基づいて説明する。図１に示すように、この実施形態のキャビネットラック１は、電気機器を収納する縦長四角箱形のラック本体２と、ラック本体２に枢着された扉３とから構成されている。扉３はラック本体２の前面開口部（図示されない）を覆う板金製の扉パネル４を備え、扉パネル４の中央部に縦長の窓穴５が形成されている。窓孔５は不透明なアクリル板等からなる意匠パネル６で塞がれ、意匠パネル６の上下において扉パネル４の前面に、上下対称形状の下部通気カバー７と上部通気カバー８とが取り付けられている。
【００１２】
図２、図３に示すように、扉パネル４の下端部には、外部の冷気をラック本体２の内部に吸入する三つの吸気口１０が透設され、下部通気カバー７によって扉パネル４の前面側から覆われている。下部通気カバー７は、上下複数枚のスラット１１と、隣接するスラット１１の間を左右に長く延びるスリット１２と、左右両端のアーム１３とを備え、合成樹脂材料によりグリル状又はルーバー状に成形され、アーム１３の先端が扉パネル４の下端切欠部１４に嵌合する。
【００１３】
扉パネル４の上端部には、ラック本体２内部の熱気を外部に排出する三つの排気口１５が透設され、上部通気カバー８によって扉パネル４の前面側から覆われている。上部通気カバー８は、下部通気カバー７と同様に、スラット１６とスリット１７とアーム１８とを備え、アーム１８の先端が扉パネル４の上端切欠部１９に嵌合する。図４に示すように、各排気口１５の周辺において、扉パネル４にはファン取付手段である複数のネジ挿通孔２０が形成され、上部通気カバー８の内面にネジ挿通孔２０と合致するボス２１が立設されている。
【００１４】
そして、三つの換気ファン２３が扉パネル４の背面側から排気口１５に被せられ、ネジ挿通孔２０を通りボス２１に螺合するネジ２４によって、上部通気カバー８およびファンホルダー２５と一緒に扉パネル４の上端部背面に取り付けられている。また、換気ファン２３による強制換気を行わない場合は、図５に示すように、排気口１５が三つのリッド２６で閉塞される。リッド２６は、排気口１５に嵌着してもよく、上部通気カバー８と共通のネジで扉パネル４に取り付けてもよい。なお、下部通気カバー７は、上部通気カバー８と同様のボス２７を備え（図３参照）、ボス２７に螺合するネジ２８で扉パネル４の下端部に取り付けられている。図２に示す２２は銘板であり、上部通気カバー８に着脱可能に装着される。
【００１５】
上記のように構成されたキャビネットラック１は、扉３を取り替えることなく、簡単な部品交換で、図６に示すように、三通りの換気方式を採用することができる。自然換気を行う場合は、図６（ａ）に示すように、扉パネル４から換気ファン２３を取り外し、床面近くの冷気３１を下部通気カバー７から吸気口１０を通してラック本体２の内部に取り入れ、ラック本体２の上部にこもった熱気３２を排気口１５から上部通気カバー８を通してキャビネットラック１の外部に排出する。
【００１６】
強制換気を行う場合は、図６（ｂ）に示すように、換気ファン２３を扉パネル４に取り付け、冷気３１を下部通気カバー７と吸気口１０を通してラック本体２内に吸入し、熱気３２を換気ファン２３により排気口１５と上部通気カバー８を通して外部に強制排出する。また、図６（ｃ）に示すように、換気ファン２３を取り外した状態で、排気口１５をリッド２６で塞ぎ、ラック本体２の上面に設けた排気口３３に換気ファン２３を取り付け、冷気３１を下部通気カバー７と吸気口１０を通してラック本体２内に吸入し、熱気３２を換気ファン２３により排気口３３から天井面に向けて強制排出する。
【００１７】
従って、この実施形態の扉３によれば、次のような効果が得られる。
（ａ）扉パネル４の上下両端部に吸気口１０と排気口１５とが設けられているので、キャビネットラック１の換気構造を扉３に集約し、ラック１全体の加工数を削減して製作コストを抑えることができる。
（ｂ）吸気および排気を扉パネル４の前面側で行うので、ラック本体２の周囲にスペースを確保する必要がなくなり、ラック１を部屋の片隅や天井の低い場所でも支障なく設置でき、複数台を接近させて並置することも可能で、ラック１を自由にレイアウトできる。
【００１８】
（ｃ）床面近くの冷気３１を扉パネル４の下端部から取り込み、熱気３２を扉パネル４の上端部から排出するので、自然換気又はファン２３による強制換気のどちらの場合も、効率のよい換気を行うことができる。
（ｄ）吸気口１０と排気口１５がそれぞれ通気カバー７，８によって扉パネル４の前面側から覆われているので、塵埃がラック本体２の内部に侵入しにくくなるうえ、内部の電気機器を視覚的、物理的に保護し、キャビネットラック１のセキュリティを確保できる。
【００１９】
（ｅ）上下の通気カバー７，８が吸気口１０および排気口１５を扉パネル４の前面側から隠蔽するので、キャビネットラック１の見栄えが向上する。
（ｆ）扉パネル４の窓穴５を意匠パネル６で塞ぎ、意匠パネル６の上下に通気カバー７，８を取り付けたので、特に縦長のキャビネットラック１において、扉３を軽量化できるとともに、意匠パネル６と通気カバー７，８との相乗効果によってラック１の前面に斬新なデザインを与えることができる。
（ｇ）上下の通気カバー７，８を上下対称に形成したので、ラック１前面の意匠性をさらに高めることができる。
【００２０】
（ｈ）排気口１５の周辺において、扉パネル４に換気ファン２３を取り付けたので、ラック本体２の内部機器を強制換気によって高温から確実に保護することができる。
（ｉ）換気ファン２３を上部通気カバー８と一緒にネジ２４で扉パネル４に取り付けたので、扉３の組立工数を削減することができる。
【００２１】
本発明は上記実施形態に限定されるものではなく、発明の趣旨を逸脱しない範囲で各部の構成や形状を適宜に変更して実施することも可能である。例えば、換気ファン２３の取付構造を図７に示すように変更することができる。ここでは、三つの換気ファン２３がファン基板３５上に組み付けられている。排気口１５はファン基板３５より若干大きな面積で扉パネル４に形成されている。そして、換気ファン２３とファンホルダー２５とファン基板３５とでファンユニット３６が構成され、該ユニット３６が上部通気カバー８のボス２１（図４参照）に螺合するネジ２４によって該カバー８と一緒に扉パネル４に取り付けられている。こうすれば、複数の換気ファン２３をユニット化して扉パネル４にさらに簡単に組み付けることができる。
【図面の簡単な説明】
【００２２】
【図１】本発明の一実施形態を示すキャビネットラックの全体斜視図である。
【図２】キャビネットラックの扉パネルを前面側から見た分解斜視図である。
【図３】扉パネルを背面側から見た斜視図である。
【図４】扉パネルに換気ファンを取り付ける構造を示す斜視図である。
【図５】扉パネルの排気口をリッドで塞いだ状態を示す斜視図である。
【図６】扉による換気作用を示すラックの概略側面図である。
【図７】換気ファン取付構造の変更例を示す斜視図である。
【図８】従来のキャビネットラックを示す斜視図である。
【符号の説明】
【００２３】
１    キャビネットラック
２    ラック本体
３    扉
４    扉パネル
５    窓孔
６    意匠パネル
７    下部通気カバー
８    上部通気カバー
１０    吸気口
１５    排気口
２０    ネジ挿通孔
２１    ボス
２３    換気ファン
２６    リッド
３６    ファンユニット
【図１】
0004711814.tif 000002
【図２】
0004711814.tif 000003
【図３】
0004711814.tif 000004
【図４】
0004711814.tif 000005
【図５】
0004711814.tif 000006
【図６】
0004711814.tif 000007
【図７】
0004711814.tif 000008
【図８】
0004711814.tif 000009